(57)【要約】本発明は超音波走査装置及びその使用と方法を開示し、超音波検出分野に属する。超音波走査装置は、少なくとも一組の円柱状ローラを含み、各組の円柱状ローラの軸心は互いに平行であり、各円柱状ローラ内にいずれも超音波を伝搬するための液体が収容され、作動する際に、一組の円柱状ローラは、それぞれの軸心を中心に互いに逆方向に回転し、測定対象物は、超音波検出を受けるように一組の円柱状ローラ間を通過する。この超音波走査装置は、リチウムイオン電池検出分野に使用することができ、測定対象物における超音波画像を取得することにより、リチウムイオン電池内部の欠陥及び健康状態を得ることができる。本発明の装置は、構造が簡単で、使用が便利で、コストが安く、設計が巧みであり、リチウムイオン電池の検出のために使用する実際の効果が高い。
2021505915.tif 000002
【特許請求の範囲】
【請求項１】
少なくとも一組の円柱状ローラを含み、各組の円柱状ローラの軸心が互いに平行であり、各円柱状ローラ内に超音波を伝搬するための液体が収容され、
作動する際に、一組の円柱状ローラが、それぞれの軸心を中心に互いに逆方向に回転し、測定対象物が超音波測定を受けるように一組の円柱状ローラ間を通過し、
測定対象物が通過するとき、円柱状ローラ自体または測定対象物が弾性変形することで、測定対象物と一組の円柱状ローラを常に安定して良好に面接触させることにより、確実に高効率の超音波伝搬を行うことを特徴とする超音波走査装置。
【請求項２】
少なくとも一組の超音波トランスデューサをさらに含み、一組の円柱状ローラに少なくとも一組の超音波トランスデューサが配置され、一組の超音波トランスデューサにおける２つのトランスデューサが、それぞれ一組のローラ内の２つのローラに対応して設けられ、
前記超音波トランスデューサは、超音波を発信または受信する機能を備え、
超音波トランスデューサは、好ましくは、平板超音波トランスデューサまたは集束超音波トランスデューサであり、好ましくは、一組の超音波トランスデューサは、対向して配置され、且つ超音波トランスデューサの全ての超音波信号発信の中心点と全ての超音波信号受信の中心点との接続線は、２つのローラの軸心と同一平面上にあることを特徴とする請求項１に記載の超音波走査装置。
【請求項３】
一組の円柱状ローラ間の隙間の大きさが一定であり、
測定する際に、一組または複数組の超音波トランスデューサが、ローラの軸心方向に沿って繰り返し往復直線運動を行い、測定対象物は、隙間を通過するとき、２つのローラ筒壁と同時に接触し、一組のローラのうちの一つが動力装置を有し、動力装置の駆動を介して設定した角速度で回転することができ、また、もう一つのローラが動力装置を有さず、作動する際、摩擦力の作用により従動回転することを特徴とする請求項２に記載の超音波走査装置。
【請求項４】
一組の円柱状ローラの軸心方向が水平面と１５°〜９０°の角度をなし、ローラが開口容器であることを特徴とする請求項３に記載の超音波走査装置。
【請求項５】
ローラの外壁表面が高分子材料を有し、前記高分子材料がシリコーンゴムであり、好ましくは、高分子材料に液体が封入されていることを特徴とすることを特徴とする請求項４に記載の超音波走査装置。
【請求項６】
一組の円柱状ローラにおける２つのローラが位置する高さは等しく、円柱状ローラの軸心と水平面とは、垂直であり、さらに、測定対象物を載置するための１つの水平コンベアを含み、水平コンベアが、一組の円柱状ローラの下方に配置されていることを特徴とする請求項４に記載の超音波走査装置。
【請求項７】
円柱状ローラの軸心は、水平面との間に１５°〜４０°の角度をなし、
一組の円柱状ローラの２本のローラ軸心を含む平面と水平面との交線と、円柱状ローラの軸心とが互いに垂直であり、
測定する際に、測定対象物は、一組の円柱状ローラの上方から隙間に入り、ローラの回転により、自然に隙間を通過し、一組のローラの下方に落下することを特徴とする請求項４に記載の超音波走査装置。
【請求項８】
円柱状ローラの軸心が水平面との間に１５°〜８０°の角度をなし、且つ、一組の円柱状ローラの２本のローラの軸心を含む平面は、水平面に対して垂直となることを特徴とする請求項４に記載の超音波走査装置。
【請求項９】
リチウムイオン電池内部の欠陥及び健康状態を検出することに用いられる請求項１〜８のいずれかの一項に記載の超音波走査装置のリチウムイオン電池の検出のための使用。
【請求項１０】
請求項１〜８のいずれかの一項に記載の超音波走査装置を用いて超音波画像を取得する方法であって、
一組のローラの軸心を含む平面の法線方向をｘ、ローラの回転角速度をω１、作動過程におけるローラの軸心と測定対象物との間の最小距離をＲ、走査時間をｔと定義したときに、超音波トランスデューサの組の測定対象物に対するｘ方向への変位Ｘが、Ｘ＝ω１Ｒｔであり、
ローラ軸心に平行な方向をｙ、超音波トランスデューサの組がｙ方向に周波数ｐで往復運動すると定義したときに、その変位Ｙとｔの関係がＹ＝ｆ（ｔ）であり、
超音波トランスデューサの組が時刻ｔに測定した信号強度をＳとすると、確定した時刻ｔ、Ｘ、Ｙ、Ｓのいずれも既知量であるため、ＳとＸ、Ｙとの関係が確立されるので、Ｓを疑似カラーとし、ＳとＸ、Ｙとの関係に基づいて、測定対象物の位置ごとの超音波伝搬特性を反映した、測定対象物の超音波画像として図を作成することを特徴とする超音波画像を取得する方法。
【発明の詳細な説明】
【技術分野】
【０００１】
本発明は、超音波検出分野に属し、具体的には、超音波走査装置及びその使用と方法に関する。
【背景技術】
【０００２】
超音波は、２０ｋＨｚより高い周波数を有する音波であり、指向性が良好であり、透過能力に優れ、集中的な音響エネルギーを得やすい。液体と固体において遠くまで伝搬するため、非破壊検出分野に用いることができ、測定対象物における気泡、密度変動及び亀裂などを検出することができる。しかしながら、超音波は空気中での伝搬能力が悪く、特に０．５ＭＨｚ以上の周波数を有する超音波は、空気中での減衰が非常に深刻であり、空気結合を通じて必要な超音波情報を取得することが困難である。そこで、超音波の伝搬を促進するため、超音波トランスデューサ及び測定対象物の間に液体結合剤を充填する必要がある。
【０００３】
実際の応用において、高品質の高周波超音波走査結果を得るには、測定対象物が、水又はその他の液体媒質に浸漬される必要があり、汚染を招くことがある。特別な応用の場合において、測定対象物（例えば、リチウムイオン電池）は、液体汚染を許容しない。
【０００４】
液体に加え、超音波は固体中における減衰も小さいため、超音波トランスデューサと測定対象物との間に固体媒質を充填することも可能な選択肢である。しかしながら、固体媒質は、流動性を有さないため、超音波トランスデューサ及び測定対象物の相対位置が固定されており、超音波トランスデューサが測定対象物の機械的な走査を実現することが困難であるという問題がある。また、超音波トランスデューサが一つの測定対象物の表面から取り外され、他の測定対象物を測定する際、硬質固体媒質が不可逆的に破壊されるため、複数の測定対象物を連続的に走査する能力を有さない。
【０００５】
したがって、液体と測定対象物との直接接触を避け、及び硬質固体媒質と硬質測定対象物との直接接触を避ける新規な超音波結合方法または装置を開発する必要があり、その使用の利便性、繰り返し使用できること、低いコストが要求されている。
【発明の概要】
【０００６】
従来技術の上記欠点または改善のニーズに鑑み、本発明は、固体及び液体の組み合わせ超音波伝搬媒質を採用し、トランスデューサを液体が充填されたローラに配置され、ローラの外壁を測定対象物と接触させ、ローラの回転によってトランスデューサと測定対象物とを相対移動させることにより、超音波の機械的な走査を実現することを目的とする超音波走査装置及びその使用と方法を提供する。本発明の装置は、構造が簡単で、使用が便利で、コストが安く、設計が巧みであり、実際のリチウムイオン電池の検出のために使用する効果が高い。
【０００７】
前記目的を達成するため、本発明の一つの形態によれば、少なくとも一組の円柱状ローラを備える超音波走査装置を提供し、各組の円柱状ローラの軸心が互いに平行であり、各円柱状ローラにおいて、いずれも超音波を送信するための液体が配置されており、作動する際に、一組の円柱状ローラがそれぞれの軸心を中心に互いに逆方向に回転する。測定対象物は一組の円柱状ローラの間に通過する際に測定を受け、測定対象物が通過するとき、円柱状ローラ自体または測定対象物が弾性変形し、測定対象物と一組の円柱状ローラが常時良好に接触することで、超音波を高い効率で確実に伝搬させる。
【０００８】
更に、少なくとも一組の超音波トランスデューサを含み、一組の円柱状ローラに少なくとも一組の超音波トランスデューサが配置され、一組の超音波トランスデューサにおける２つのトランスデューサが、それぞれ一組のローラ内の２つのローラに対応して設けられ、前記超音波トランスデューサは、超音波を発信または受信する機能を備える。超音波トランスデューサは、好ましくは、平板超音波トランスデューサまたは集束超音波トランスデューサであり、ここで、平板超音波トランスデューサは、直進伝搬超音波を発信または受信することができ、集束超音波トランスデューサから放出された超音波は焦点区域に収束される。好ましくは、一組の超音波トランスデューサは、対向して配置され、且つ超音波トランスデューサの全ての超音波信号発信の中心点と全ての超音波信号受信の中心点との接続線は、２つのローラの軸心と同一平面上にあり、２つのローラの軸心に対して垂直となる。この設計の目的は、超音波がそのうちの一つのトランスデューサから発信され、２つのローラと測定対象物を通過し、もう一つのトランスデューサに到達し、全行程において空気を通過しないことにより、精確な測定対象物の局所的な超音波透過信号を得ることである。
【０００９】
トランスデューサの全ての発信または受信の中心点の位置はいずれも２つのローラの軸心と同一平面上にある。トランスデューサの軸心方向に沿って往復運動する距離は、超音波トランスデューサのピッチより大きい。
【００１０】
さらに、一組の円柱状ローラ間の隙間の大きさが一定であり、測定する際に、超音波トランスデューサが測定対象物のローラ軸心方向の機械的な走査を行うことを実現するため、一組または複数組の超音波トランスデューサが、ローラの軸心方向に沿って繰り返し往復直線運動を行い、測定対象物は、隙間を通過するとき、２つのローラ筒壁と同時に接触し、一組のローラのうちの一つが動力装置を有し、動力装置の駆動を介して設定した角速度で回転することができ、また、もう一つのローラが動力装置を有さず、作動する際に、摩擦力の作用により従動回転する。
【００１１】
上記は、２つのローラ軸心を含む平面の法線方向（Ｘ方向と定義される）において、超音波トランスデューサの組が測定対象物に対する機械的な走査を行うことを実現するための設計である。ここに記載された隙間は必須ではなく、測定対象が非常に薄く、且つローラの筒壁が十分に柔らかい場合、初期状態で２つのローラ外壁を直接接触させ、作動する際に測定対象物が筒壁の変形を伴って、２つのローラ間に押し込まれ、２つのローラ間を通過してもよい。
【００１２】
さらに、一組の円柱状ローラの軸心方向が水平面と１５°〜９０°の角度をなし、ローラが開口容器である。
【００１３】
さらに、ローラの外壁表面が高分子材料を有し、前記高分子材料がシリコーンゴムであることが好ましい。これにより、剛性の測定対象物が２つのローラ間の隙間を通過する過程において、２つのローラの両方ともに良好な接触することが保証できる。好ましくは、高分子材料に液体が封入されている。このような設計により、軟質高分子を単独で使用する構造より柔軟性が高く、剛性の測定対象物が２つのローラの間を通過する過程において、２つのローラの両方ともに良好な接触することが保証できる。
【００１４】
さらに、ローラの方向及び相対位置は、以下の３つの設計を有してもよい。
【００１５】
＜一＞２つのローラの高さは等しく、軸心方向は水平面に対して垂直であり、一つの水平コンベアを含み、水平コンベアに測定対象の矩形物品が載置され、コンベアが、２つのローラ間の下方に配置され、作動する際に、測定対象物が２つのローラ間の隙間を通過するように、測定対象物を担持する。このような装置は、本発明において「縦筒式超音波走査装置」と呼ばれ、コンベアに垂直に載置可能な物品に対して超音波走査を行うことに適している（例えば、矩形アルミケースリチウムイオン電池の走査）。
【００１６】
＜二＞ローラの軸心方向と水平面とが１５−４０°の角度をなし、２つのローラの軸心を含む平面と水平面との間の角度は、ローラの軸心と水平面とがなす角度に等しい。２つのローラの軸心を含む平面と水平面の交線は、２つのローラの軸心に対して垂直である。このような装置は、本明細書の後段に「フラット配列斜筒式超音波走査装置」と呼ばれ、測定対象物は、２つのローラの上方から、ローラの隙間に入り、ローラの回転により、隙間を通過し、２つのローラの下方に落下する。
【００１７】
＜三＞２つのローラの底部中心の高さは等しくなく、軸心方向は、水平面とは１５−８０°の角度をなしている。２つのローラの軸心を含む平面と水平面とは垂直になる。このような装置は、本明細書の後段に「縦配列斜筒式超音波走査装置」と呼ばれ、測定対象物は、傾斜したコンベア上に載置され、ローラの隙間に送り込まれ、ローラの回転により、隙間を通過し、他の傾斜したコンベアに落下する。
【００１８】
斜筒式超音波走査装置（フラット配列斜筒式超音波走査装置と縦配列斜筒式超音波走査装置を含む）は、厚さが薄く、垂直に載置できない測定対象物（例えば、ソフトパックリチウムイオン電池の走査）に対する超音波走査を行うことに適している。
【００１９】
さらに、前記ローラの直径が１００ｍｍより大きいことにより、ローラの外表面の十分に大きな曲率半径を確保でき、軟質高分子層が、径方向に若干圧縮されることで、測定対象物のより大きな面積のシームレスな接触を実現することができる。
【００２０】
さらに、前記２つのローラの軸心方向が、水平面と１５〜９０°の角度をなすことで、ローラの上端が密封されなくても、ローラ内の液体が流出しないことを保証できる。超音波トランスデューサ支持具のローラへの挿入を容易にし、且つローラに対して移動させるため、ローラの上端は密封されない。
【００２１】
本発明の第２の形態によれば、前記超音波走査装置は、リチウムイオン電池の検出のための使用を提供し、リチウムイオン電池の状態を検出するために用いられる。
【００２２】
本発明の第３の形態によれば、前記装置を用いた超音波画像を得る方法は、具体的に以下の通りである。
【００２３】
一組のローラの軸心を含む平面の法線方向をｘ、ローラの回転角速度をω１、作動過程におけるローラの軸心と測定対象物との間の最小距離をＲ、走査時間をｔと定義したときに、超音波トランスデューサの組の測定対象物に対するｘ方向への変位Ｘが、Ｘ＝ω１Ｒｔであり、
【００２４】
ローラ軸心に平行な方向をｙ、超音波トランスデューサの組がｙ方向に周波数ｐで往復運動すると定義したときに、その変位Ｙとｔの関係がＹ＝ｆ（ｔ）であり、
【００２５】
超音波トランスデューサの組が時刻ｔに測定した信号強度をＳとすると、確定した時刻ｔ、Ｘ、Ｙ、Ｓのいずれも既知量であるため、ＳとＸ、Ｙとの関係が確立されるので、Ｓを疑似カラーとし、ＳとＸ、Ｙとの関係に基づいて、測定対象物の位置ごとの超音波伝搬特性を反映した、測定対象物の超音波画像として図を作成する。
【００２６】
一般には、本発明が想到した上記技術的解決手段と従来技術に比べると、以下の有益な効果を奏することができる。
【００２７】
本発明装置において、固体及び液体の組み合わせ超音波伝搬媒質を採用し、トランスデューサを液体が充填されたローラに配置し、ローラの外壁を測定対象と接触させ、ローラの回転によってトランスデューサと測定対象物とを相対移動させることにより、超音波の機械的な走査を実現する。本発明の装置は、構造が簡単で、使用が便利で、コストが安く、設計が巧みであり、走査速度が速く、実際のリチウムイオン電池の検出のための使用の効果が高い。
【００２８】
本発明の方法によると、リチウムイオン電池の測定において、高精度且つ迅速な超音波走査分析を実現し、測定対象物の超音波透過特性および反射特性の分布図を得ることができる。超音波強度、超音波飛行時間等の物理量を精確に分析しているので、空気結合技術に比べると、信号対雑音比がはるかに良好となる。また、液体媒質により電池を汚染する問題は存在せず、電池内部の電解液の分布状況及び電極の製造欠陥を明らかに観察することができ、リチウムイオン電池製品の均一性を向上させ、不良な電池を除去することができる。
【図面の簡単な説明】
【００２９】
【図１】本発明の実施例における縦筒式超音波走査装置の上面断面図である。
【図２】本発明の実施例における縦筒式超音波走査装置の断面図である。
【図３】本発明の実施例における縦筒式超音波走査装置及びコンベアの概略構成図である。
【図４】本発明の実施例における超音波トランスデューサ支持具及び超音波トランスデューサ支持具を駆動させるクランクロッドの概略構成図である。
【図５】本発明の実施例における水平配列斜筒式超音波走査装置の概略図である。
【図６】本発明の実施例における上下配列斜筒式超音波走査装置の断面概略図である。
【図７】本発明の実施例における傾斜したコンベアに置かれている測定対象物の概略図である。
【図８】本発明の実施例における筒壁が高分子密封液体構成を有する円筒の断面概略図である。
【発明を実施するための形態】
【００３０】
本発明の目的、技術方案及び利点をより明瞭にするために、以下、図面及び実施例と結びつけて、本発明に対して更に詳しく説明する。説明する具体的な実施形態が本発明を解釈するためだけであり、本発明を限定するものではないことは、理解されたい。また、以下で説明する本発明の各実施例における技術的特徴について、互いに矛盾しない限り、互いに組み合わせることができる。
【００３１】
図１は、本発明実施例における縦筒式超音波走査装置の上面断面図であり、図から分かるように、一組の円柱状ローラを含む。各組の円柱状ローラの軸心は互いに平行である。円柱状ローラは開口しており、その中には、いずれも超音波の伝搬に用いられる液体媒質４を含む。液体媒質には超音波トランスデューサ３が浸漬されている。ローラ内壁１及びローラ外壁２は互いに異なる材料で製作されている。２つのローラ間の隙間には、測定対象物５が配置される。
【００３２】
以下、さらに図面及び実施例と併せて本発明の装置及び方法について詳細に説明する。
【００３３】
＜実施例１＞
矩形電池内部の欠陥を検出するための縦筒式超音波走査装置
【００３４】
矩形アルミニウムケースリチウムイオン電池は、現在、パワーバッテリー市場に一般的に使用されている電池であり、その外観は、矩形であり、内部は巻き取りまたは積層した多層電極材料と、隔膜と、集電体とを含み、電解液により浸漬されていた。超音波を使用することで、内部における電極の欠陥や、電解液の注液分布や、内部気体等を検出することができ、電池品質を保証することに対して意義は大きい。本実施例において、サイズが１５０ｍｍｘ１００ｍｍｘ３０ｍｍである矩形アルミニウムケースリチウムイオン電池を測定対象物とした。
【００３５】
ローラ内壁は、有機ガラスで製作され、外径が２００ｍｍであり、壁の厚さが３ｍｍであり、底部が密封され、上端が開放され、軸心方向は水平面と垂直になり、ローラ外壁として、一層の厚さが１０ｍｍのシリコーンゴムがセットされていた。有機ガラス内壁のほとんどの垂直表面が、シリコーンゴム外壁により被覆されており、頂端から２０ｍｍの区域のみシリコーンゴムに被覆されておらず、当該エリアは、補助ホイールと直接に接触することにより、ローラの位置を保証することができた。ローラの間に２９ｍｍの隙間があり、厚さ３０ｍｍの矩形電池がローラの回転に連れられて当該隙間を通過することができ、通過過程において、シリコーンゴムローラの外壁が押圧されてわずかに変形し、各側のシリコーンゴム層が最大で０．５ｍｍ圧縮され、電池とのシームレスな接触が実現された。シリコーンゴム層の変形を考慮すれば、作動過程において、ローラの軸心と測定対象物との最小距離Ｒ＝１０９．５ｍｍであった。
【００３６】
超音波トランスデューサとしては、エネルギー変換シートの直径が６ｍｍである平板超音波トランスデューサを採用した。合計で５組の超音波トランスデューサが、図２に示す超音波トランスデューサ支持具７の２つのアームに取り付けられた。図から分かるように、トランスデューサ支持具７には、５組の超音波トランスデューサが取り付けられており、測定対象物５は、コンベア６に載置され、垂直方向における超音波トランスデューサの中心のピッチが２０ｍｍであった。超音波トランスデューサがローラ内のシリコーンオイルに浸漬された状態で、シリコーンオイルの液面はローラの内部の頂端から５０ｍｍ離れていた。これにより、トランスデューサ支持具が超音波トランスデューサと共にｙ方向へ往復運動する過程において、シリコーンオイルがローラから溢れないことが保証された。ここで、超音波伝搬媒質としてシリコーンオイルを選択する理由は、その化学性質が安定し、不揮発性、非腐食性を有することであった。超音波トランスデューサの中心と、２つのローラの軸心を含む平面とは同一平面上にあり、超音波トランスデューサの中心からローラ内壁までの距離は３ｍｍであった。超音波トランスデューサは、１ＭＨｚの超音波を発信及び受信する機能を兼ね備え、一方のローラにおける超音波トランスデューサにより発信された超音波は、測定対象物を通過することができ、他方のローラにおける正対する超音波トランスデューサにより捕捉された。
【００３７】
図１及び図２を参照すれば、縦筒式超音波走査装置の構造が分かる。ここで、図１は上面図であり、図２はｘ方向からの側面図である。図３は、本発明の実施例における縦筒式超音波走査装置及びコンベアの概略構成図である。ローラ９内に超音波を伝搬する液体媒質が置かれ、液体媒質内にトランスデューサ支持具７が配置され、複数組の超音波トランスデューサがトランスデューサ支持具７に取り付けられ、複数の測定対象物が、コンベア６に配列され、ローラがローラ支持軸８により支持されることで、ローラ支持軸を軸心として回転することができる。
【００３８】
作動する際に、測定対象の矩形電池が、図２及び図３に示されるコンベアに置かれ、コンベアの速度がローラの回転と同期を保持した。速度はｖ＝１０ｍｍ／ｓであり、ドラムの角速度ω１＝ｖ／Ｒ＝１．８２６ｒａｄ／ｓであった。図４は、本発明の実施例における超音波トランスデューサ支持具及びその超音波トランスデューサ支持具を駆動させるクランクロッドの概略構成図である。図から分かるように、超音波トランスデューサ支持具７は、１つのステッピングモータにより駆動される類似クランクリンク機構の作用により直線往復運動を行う。具体的には、ステッピングモータは、回転クランク１１及び接続ロッド１２を介して、固定スライダ１０の運動を駆動し、さらに固定スライダによって超音波トランスデューサ支持具７を駆動する。クランクの有効長さはｒ＝１０ｍｍであり、接続ロッドの有効長さはｌ＝１５ｍｍであり、ステッピングモータの角速度は一定で、ω２＝１０π／ｓであった。即ち、毎秒５回転であった。ｔ＝０の初期状態においてクランクと接続ロッドの間の角度が０°であり、ある超音波トランスデューサの矩形電池に対する位置が（Ｘ０，Ｙ０）である場合、後続のある時点ｔにおいて、当該超音波トランスデューサの矩形電池に対する位置（Ｘ，Ｙ）は、三角法を用いて解くことにより、以下の式で表すことができる。
【数１】
2021505915.tif 000003
【００３９】
したがって、当該超音波トランスデューサのｘｙ平面における測定対象物に対する位置（Ｘ，Ｙ）を、時間ｔから求めることができる。
【００４０】
固定振幅の矩形波電圧パルスで当該超音波トランスデューサを励起すると、当該超音波トランスデューサから発信された超音波は、発信側のローラにおけるシリコーンオイル→発信側ローラの内壁→発信側ローラの外壁→矩形電池→対向するローラの内壁→対向するローラにおけるシリコーンオイルを通過し、対向するもう一つの超音波トランスデューサに達した。受信された超音波振動波形を記録し、最大ピーク値をＳとし、毎秒１０００個最大ピーク値及びその対応時間を記録した。それぞれの時刻ｔに得られたＳ，Ｘ，Ｙ値を疑似カラー図として作成した。長波長の赤色で透過信号が強いことを表示し、短波長の青色で透過信号が弱いことを表示し、緑色で透過信号が適切であることを表示することにより、矩形電池が当該超音波トランスデューサの走査区域内にあるときの超音波信号の透過強度分布情報を得ることができた。複数の超音波トランスデューサのそれぞれの走査区域における超音波信号透過強度分布図を統合することにより、電池全体の超音波透過強度分布図を得ることができた。
【００４１】
電池内気体が存在する（または局所的に電解液に浸漬されていない）場合、気液界面及び気固界面が超音波を反射するので、局所的な超音波透過強度の低下を引き起こし、そこが疑似カラー図では、局所的に青色に示された。電池内部に電極のしわが存在する場合、局所的な厚さの違いやしわにより散乱を誘発することによって、超音波透過信号が低下する。ただし、その程度は、通常、局所的にガスが存在する場合より低い。
【００４２】
さらに、超音波反射信号により気体の存在を判断することができる。超音波トランスデューサが超音波信号を発信した後、電池内に気体が存在する場合、超音波が微小な時間τ後に反射され、当該超音波トランスデューサに戻され、測定されることができる。τが大きいほど、気泡の位置が当該超音波トランスデューサから遠くなった。このような反射モードでは、対向する超音波トランスデューサを必要としない。
【００４３】
＜実施例２＞
矩形ゴムブロック内部の欠陥を検出するための縦筒式超音波走査装置
【００４４】
本実施例においては、サイズが１５０ｍｍｘ１００ｍｍｘ５０ｍｍである矩形ゴムブロックを測定対象とした。超音波走査装置のほとんどの構造は実施例１と同じであり、以下のような点で異なるだけである。
【００４５】
測定対象物自身が弾性を有し、且つ全体の厚みが実施例１における矩形電池より２０ｍｍ大きいので、２つのローラは、シリコーンゴム外壁との接触を必要とせず、有機ガラスローラ内壁を測定対象物と直接接触させ、測定対象物自身の変形により、ピッチ４９ｍｍのローラの隙間を通過させた。
【００４６】
測定対象物のｚ方向の厚さが厚く、コンベアに載置してもより安定であるため、コンベアの幅を４５ｍｍに変更し、その位置をローラの下端より高い位置まで高くした。この設計の利点は、測定対象物下方に走査ブラインドゾーンが存在しないことである。
【００４７】
測定対象物内に２ミリメートルより大きい直径を有する気泡が存在する場合、当該走査装置を用いて、ｘ−ｙ平面内の当該区域の超音波透過信号が低減することを発見することができた。ｚ方向の深さは、反射信号の遅延時間τにより確定することができ、τが大きいほど、気泡の位置が当該超音波トランスデューサから遠くなった。
【００４８】
測定対象物内に直径が５ミリメートルの石が存在する場合、当該走査装置を用いて、ｘ−ｙ平面内の当該区域の超音波透過信号が増大することを発見することができた。ｚ方向の深さも、反射信号の遅延時間τにより確定することができ、τが大きいほど、気泡の位置が当該超音波トランスデューサから遠くなった。
【００４９】
＜実施例３＞
ソフトパックバッテリ内部の欠陥を検出するためのフラット配列斜筒式超音波走査装置
【００５０】
ソフトパックリチウムイオン電池は、現在、市場で一般的に使用されている電池であり、一般的には、外観も矩形であるが、矩形アルミニウムケース電池と異なり、通常、内部は積層加工で製造された多層電極材料と、隔膜と、集電体であり、電解液により浸漬されている。通常、厚みは１５ｍｍ未満であり、エッジがアルミニウムプラスチック膜の折辺構造であり、コンベアに垂直に載置することができない。ソフトパックリチウムイオン電池に対する連続走査の問題を解決するため、本発明は斜筒式超音波走査装置を開示する。
【００５１】
実施例１に記載の縦筒式超音波走査装置と異なり、フラット配列斜筒式超音波走査装置において、２つのローラ軸心と水平面とは１５°から４０°の角度をなし、軸心を中心に回転する。図５は、本発明の実施例における水平配列斜筒式超音波走査装置の概略図である。図５に示すように、本実施例において、２つのローラ軸心方向と水平面との間は３０°の角度をなしている。図５はｚ方向からの視点であり、２つのローラが並んで配列されており、一方のローラの内部構造のみを表示し、他方のローラが隠れている。この配置の利点は以下の通りである。ローラの上端が密封されない場合、ローラ内の液体が筒外に溢れることがなく、且つローラ内の超音波トランスデューサが液体に浸かった状態を確保でき、確実に超音波伝搬を行える。作動する際に、ソフトパックバッテリは、２つのローラの上方からローラの隙間に入り、ローラの回転により、隙間を通過し、２つのローラの下方に落下し、コンベアにより搬送され、連続走査を実現することができる。
【００５２】
本実施例において、測定対象物のソフトパックバッテリのサイズは８０ｍｍｘ５０ｍｍｘ６ｍｍであった。
【００５３】
２つのローラのサイズ、仕様は、完全に一致していた。ローラ内壁は、有機ガラスで製作され、外径が１２０ｍｍであり、高さが３００ｍｍであり、壁の厚さが３ｍｍであり、底部が密封されており、上端が開放されていた。内壁の外には厚さ１０ｍｍのシリコーンゴムの外壁が設けられ、シリコーンゴムの被覆区域は、内壁の底端から１０ｍｍ離れているところから内壁の頂端から１００ｍｍ離れているところまでであった。２つのローラは、並列に傾斜して配置され、高低の差を有さない。軸の方向と水平面との間は３０°の角度をなしている。ローラの内壁の上に近く、外壁にカバーされていない区域は、補助ホイールと接触可能である。これにより、ローラが確実に位置決めされる。ローラ間には５ｍｍの隙間があり、厚さ６ｍｍの矩形電池がローラの回転に連れられて当該隙間を通過することができ、通過過程において、シリコーンゴムローラの外壁が押圧されてわずかに変形し、各シリコーンゴム層が最大で０．５ｍｍ圧縮され、電池とのシームレスな接触が実現される。シリコーンゴム層の変形を考慮すれば、作動過程において、ローラの軸心と測定対象物との最小距離Ｒ＝６９．５ｍｍであり、ローラの回転速度は、一定であり、ω１＝０．１４３９ｒａｄ／ｓとした。ローラ内液体超音波伝導媒質としてシリコーンオイルが充填されており、シリコーンオイルの液面がローラ口から５０ｍｍ離れていた。
【００５４】
超音波トランスデューサとしては、エネルギー変換シートの直径が６ｍｍである平板超音波トランスデューサを採用した。合計で５組の超音波トランスデューサが、図５に示される超音波トランスデューサ支持具の２つのアームに取り付けられた。５組の超音波トランスデューサ中心点の距離が１２ｍｍであった。超音波トランスデューサがローラ内のシリコーンオイルに浸漬され、超音波トランスデューサの中心は、いずれも２つのローラの軸心を含む平面と同一平面上にあり、超音波トランスデューサの中心からローラ内壁までの距離は３ｍｍであった。超音波トランスデューサは、１ＭＨｚの超音波を発信及び受信する機能を兼ね備え、一方のローラにおける超音波トランスデューサにより発信された超音波は、測定対象物のソフトパックバッテリを通過し、他方のローラにおける正対する超音波トランスデューサにより捕捉された。超音波トランスデューサ支持具７は、１つのステッピングモータにより駆動される類似クランクリンク機構の作用により直線往復運動を行った。クランクの有効長さｒ＝６ｍｍであり、接続ロッドの有効長さｌ＝１０ｍｍであり、ステッピングモータの角速度は一定で、ω２＝１０π／ｓであり、即ち、毎秒５回転であった。すべての超音波トランスデューサのｙ方向の走査範囲は、６０ｍｍであった。
【００５５】
図５に示される方向のように、電池が２つのローラの隙間の上方から、２つのローラの間隙に入れた。超音波トランスデューサのｙ方向の走査範囲は、ソフトパックバッテリが位置する区域を含む。これにより、トランスデューサがソフトパックバッテリ全体へ走査することを保証することに留意されたい。超音波トランスデューサは、１ＭＨｚの超音波を発信及び受信する機能を兼ね備え、一方のローラにおける超音波トランスデューサにより発信された超音波は、測定対象物を通過することができ、他方のローラにおける正対する超音波トランスデューサにより捕捉された。
【００５６】
ｔ＝０の初期状態においてクランクと接続ロッドの間の角度が０°であり、ある超音波トランスデューサのソフトパックバッテリに対する位置が（Ｘ０，Ｙ０）である場合、後続のある時点ｔにおいて、当該超音波トランスデューサのソフトパックバッテリに対する位置（Ｘ，Ｙ）は、三角法を用いて解くことにより、以下の式で表すことができる。
【数２】
2021505915.tif 000004
【００５７】
したがって、当該超音波トランスデューサのｘ、ｙ平面における測定対象物に対する位置（Ｘ，Ｙ）を、時間から求めることができる。
【００５８】
固定振幅の矩形波電圧パルスで当該超音波トランスデューサを励起すると、当該超音波トランスデューサから発信された超音波は、発信側のローラにおけるシリコーンオイル→発信側ローラの内壁→発信側ローラの外壁→ソフトパックバッテリ→対向するローラの内壁→対向するローラにおけるシリコーンオイルを通過し、対向するもう一つの超音波トランスデューサに達した。受信した超音波振動波形を記録し、最大ピーク値をＳとする。それぞれの時刻ｔに得られたＳ，Ｘ，Ｙ値を疑似カラー図として作成した。ソフトパックバッテリが当該超音波トランスデューサの走査区域内にあるときの超音波信号の透過強度分布情報を得ることができた。複数の超音波トランスデューサのそれぞれの走査区域における超音波信号透過強度分布図を統合することにより、電池全体の超音波透過強度分布図を得ることができた。
【００５９】
電池内気体が存在する（または局所的に電解液に浸漬されていない）場合、気液界面及び気固界面が超音波を反射するので、局所的な超音波透過強度の低下を引き起こし、そこが疑似カラー図では、局所的に青色に示された。電池内部に電極のしわが存在する場合、局所的な厚さの違いやしわにより散乱を誘発することによって、超音波透過信号が低下する。ただし、その程度は、通常、局所的にガスが存在する場合より低い。
【００６０】
さらに、超音波反射信号により気体の存在を判断することができる。超音波トランスデューサが超音波信号を発信した後、電池内に気体が存在する場合、超音波が微小な時間τ後に反射され、当該超音波トランスデューサに戻され、測定されることができる。τが大きいほど、気泡の位置が当該超音波トランスデューサから遠くなった。このような反射モードでは、対向する超音波トランスデューサを必要としない。
【００６１】
出荷直後のソフトパックリチウムイオン電池良品に関しては、内部の正極材料、負極材料および隔膜はいずれも電解質に浸漬され、各層の材料分布が均一であり、気体が存在せず、走査により得られたＳ，Ｘ，Ｙの値を疑似カラー図として作成すれば、電池が均一な緑色に示される。長期使用後の健康状態が劣化し、容量が出荷状態の８０％に降下したソフトパックリチウムイオン電池では、内部副反応の不均一性により、局所的に気体が発生し、超音波透過信号の強さが均一ではなく、疑似カラー図において青色と緑色が不均等な分布となる。８０℃で２４時間静置して破壊試験をした結果、電池内部のＳＥＩ膜は分解し、健康状態が深刻に劣化した。すなわちより大量の気体が発生し、電池の超音波透過性能全体が低下し、疑似カラー図において全体的に青色となった。
【００６２】
＜実施例４＞
ソフトパックバッテリ内部の欠陥を検出するための縦配列斜筒式超音波走査装置
【００６３】
本実施例において、測定対象物は、依然として、ソフトパックリチウムイオン電池であり、そのサイズは実施例３と同じであ。超音波トランスデューサの仕様、サイズ及び超音波トランスデューサ支持具に配列された方式も、実施例３と同じである。ローラの材質、直径、回転数、ピッチ、内／外壁の厚さは、実施例３と同じであり、内壁の高さと配列方式のみ相違している。
【００６４】
本実施例において、２つのローラの位置に高低差があり、軸心の方向と水平面とが６０°の角度をなしている。２つのローラ軸心を含む平面は、図６に示すように、水平面と垂直である。図６は、本発明の実施例における上下配列斜筒式超音波走査装置の断面概略図である。位置が上方に近いローラ内壁の高さが１８０ｍｍであり、位置が下方に近いローラ内壁の高さが２２０ｍｍである。このように設計した理由は、以下の通りである。超音波トランスデューサから発信された超音波が伝搬の過程中に空気層に当たらないことを保証するため、位置が上方に近いローラは、その下側の内壁と音波トランスデューサとの間をシリコーンオイルに確実に浸漬させる必要がある。位置が下方に近いローラは、上側の内壁と超音波トランスデューサとの間をシリコーンオイルに確実に浸漬させる必要がある。図６に示される傾斜構造において、シリコーンオイルの重力作用により形成された水平面の位置を考慮すれば、位置が下方に近いローラ内壁の高さを、位置が上方に近いローラより高くにすることにより、シリコーンオイルが溢れないことを確保した上で、空間を有効的に利用することができる。
【００６５】
２つのローラ内壁の底端は同一平面上にあり、内壁底端から１０ｍｍ〜１１０ｍｍ離れた範囲までがシリコーンゴム外壁に被覆されている。下方に近い位置のローラのみ動力装置を有し、その回転速度はω１＝０．１４３９ｒａｄ／ｓである。一方、上方に近い位置のローラは自由に回転することができ、サンプルがローラ間の隙間に入ったとき、摩擦力の作用により、従動回転することができる。
【００６６】
この装置にサンプルを入れる場合、図７に示される傾斜したコンベアを採用することができる。図７は、本発明の実施例における傾斜したコンベアに置かれている測定対象物の概略図である。コンベア６は、水平面と６０°の角度をなし、コンベアの下部に突起を有していることで、測定対象物であるソフトパックバッテリが滑り落ちることを防止できた。コンベアは、ソフトパックバッテリを正確な角度で２つのローラ間の隙間に送ることができ、走査が完了した後、もう一つの傾斜したコンベアに落下することにより、大量のサンプルの連続走査が実現できた。
【００６７】
＜実施例５＞
ソフトパックバッテリ内部の欠陥を検出するための高精度縦配列斜筒式超音波走査装置
【００６８】
本実施例において、測定対象物は、依然として、ソフトパックリチウムイオン電池であり、そのサイズは実施例４と同じである。ローラの材質、直径、回転数、ピッチ、内／外壁の厚さは、実施例４と同じである。
【００６９】
本実施例において、走査システムの走査精度を高めるため、超音波トランスデューサを、実施例４における直径が６ｍｍである平板超音波トランスデューサから、直径が６ｍｍであり、焦点距離が２０ｍｍである集束超音波トランスデューサ（焦点が、２つの対応するトランスデューサの接続線の中点にある）に変更した。合計で５組を有し、それぞれ図５に示される超音波トランスデューサ支持具の２つのアームに取り付けられており、５組の超音波トランスデューサのｚ方向のピッチが１２ｍｍであった。超音波トランスデューサがローラ内のシリコーンオイルに浸漬され、超音波トランスデューサの中心は、いずれも２つのローラの軸心を含む平面と同一平面上にあり、超音波トランスデューサの中心からローラ内壁までの距離７ｍｍであった。
【００７０】
超音波トランスデューサを、平板超音波トランスデューサから集束超音波トランスデューサに変更したため、超音波信号が電池を一回通過するときの面積が減少している。電池全体をより良好な測定区域により被覆するため、本実施例におけるクランク接続ロッド機構の回転角速度を、実施例４の２倍とした。すなわち、ω２＝２０π／ｓであった。その他のテスト過程は実施例４と同じであった。このような方法を採用した後、本実施例で得た超音波検出画像の解像度は実施例４より著しく向上し、電池の内部に対するより小さい欠陥の判断を行うことができた。
【００７１】
＜実施例６＞
筒壁が高分子密封液体構成を有する縦配列斜筒式超音波走査装置
【００７２】
本実施例において、ローラの内壁材質、直径、回転数、ピッチ、サイズ、空間配列は、実施例４と同じであり、外壁構造のみを変更した。
【００７３】
図８は、本発明の実施例における筒壁が高分子密封液体構成を有する円筒の断面概略図である。図８に示すように、ローラ外壁は、ローラ内に超音波を伝達可能な液体媒質が収容され、ローラ外壁表面にシリコーンゴムスリーブ１３が設けられ、シリコーンゴムスリーブ１３において液体１４が密封されている。本実施例において、具体的には、水を充填したシリコーンゴム外壁を採用した。中空のシリコーンゴムスリーブで強力接着剤が塗布されたローラ内壁を被覆し、その内壁に水を充填し、液体媒質Ｂとした。シリコーンゴムスリーブの壁の厚さは、０．５ｍｍであり、ｙ方向への被覆された範囲は、１２０ｍｍであった。水を満杯に充填した後、シリコーンゴムスリーブは膨張し、弾性作用により形状を保持した。外壁の最も厚い箇所は、内壁面から１４ｍｍの距離があった。実施例４に記載の空間配列のように、２つのローラを支持具に固定した後、２つのローラの水に充填されたシリコーンゴムの外壁の間には隙間がなく、直接相互に接触した。
【００７４】
本実施例のローラ外壁は、比較的大きく変形可能であるため、厚みが均一でない測定対象物を測定することができる。例えば、同じ装置が３ｍｍから１０ｍｍの厚みを有する様々な型番のソフトパックリチウムイオン電池を測定することができた。
【００７５】
当業者であれば容易に分かることであるが、上述した内容は、本発明の好ましい実施形態にすぎず、本発明を限定するものではない。本発明の精神及び原則範囲内で限り、いかなる修正、同等置換及び改良などのすべては本発明の保護範囲内に含まれるべきである。
【符号の説明】
【００７６】
すべての図面は、同一の符号は、同一の部品または構成を示すために用いられる。
１  ローラ内壁
２  ローラ外壁
３  超音波トランスデューサ
４  液体媒質
５  測定対象物
６  コンベア
７  超音波トランスデューサ支持具
８  ローラ支持軸
９  ローラ
１０  直線スライダ
１１  回転クランク
１２  接続ロッド
１３  シリコーンゴム
１４  液体
【図１】
2021505915.tif 000005
【図２】
2021505915.tif 000006
【図３】
2021505915.tif 000007
【図４】
2021505915.tif 000008
【図５】
2021505915.tif 000009
【図６】
2021505915.tif 000010
【図７】
2021505915.tif 000011
【図８】
2021505915.tif 000012
【国際調査報告】
2021505915.tif 000013
2021505915.tif 000014
2021505915.tif 000015
2021505915.tif 000016